【手続補正書】
【提出日】平成16年4月30日(2004.4.30)
【手続補正１】
【補正対象書類名】明細書
【補正対象項目名】特許請求の範囲
【補正方法】変更
【補正の内容】
【特許請求の範囲】
【請求項１】  第１通信状態を表示する第１表示を有し、第１エネルギ・レベルを有する少なくとも１つの第１信号を受信し、
第２通信状態に変更するリクエストを表示する第２表示を有し、第２エネルギ・レベルを有する前記少なくとも１つの第２信号を受信し、
代替基準に従って前記第１および第２の表示を検出する、リクエスト判断方法。
【請求項２】
請求項１において、前記検出が、第１エネルギ・レベルしきい値を前記第１エネルギ・レベルと比較し、第２エネルギ・レベルしきい値を前記第２エネルギ・レベルと比較することを含む、リクエスト判断方法。
【請求項３】
請求項２において、前記検出が、前記少なくとも各１つの第１および第２信号が受信される信号伝送チャネル内のタイム・スロットを積分することを含み、前記第１および第２エネルギ・レベルが各タイム・スロットの占有状態に依存する、リクエスト判断方法。
【請求項４】
請求項２において、さらに、前記少なくとも１つの第２信号の前記検出されたエネルギ・レベルが前記第２エネルギ・レベルしきい値よりも大きいと判断された場合、前記通信システムを前記第２通信状態に変更する、リクエスト判断方法。
【請求項５】
請求項２において、さらに、前記少なくとも１つの第２信号の前記検出されたエネルギ・レベルが前記第２エネルギ・レベルしきい値よりも小さいと判断された場合、前記通信システムを前記第２通信状態に変更する、リクエスト判断方法。
【請求項６】
請求項１において、前記検出が、通信状態を変更するリクエストを表示するのに使用されるタイム・スロットの占有状態を監視することを含む、リクエスト判断方法。
【請求項７】
請求項６において、前記検出が、前記タイム・スロットの検出に独立したしきい値をそれぞれ適用することを含む、リクエスト判断方法。
【請求項８】
請求項６において、前記タイム・スロットが相互に排他的である、リクエスト判断方法。
【請求項９】
請求項８において、通信状態を変更するリクエストは、相互に排他的なタイム・スロット両方においてそれぞれのしきい値よりも大きいエネルギ・レベルを検出することにより生じ、通信状態を変更しないリクエストは、相互に排他的なタイム・スロット両方よりも少ないタイム・スロットにおいてそれぞれのエネルギしきい値よりも大きいエネルギ・レベルを検出することにより生じる、リクエスト判断方法。
【請求項１０】
請求項１において、前記検出が、相互に排他的なコード・チャネルの占有状態を監視することを含む、リクエスト判断方法。
【請求項１１】
請求項１０において、前記相互に排他的なコード・チャネルが、それぞれ検出のためのしきい値を有する、リクエスト判断方法。
【請求項１２】
請求項１において、前記第１エネルギ・レベルの前記エネルギ・レベルに基づき、前記検出が、少なくとも１つの積分時間およびエネルギ・レベルしきい値を設定することを含む、リクエスト判断方法。
【請求項１３】
請求項１において、前記少なくとも各１つの第１および第２信号の前記伝送される電力レベルに基づき、前記検出が、エネルギ・レベルしきい値を設定することを含む、リクエスト判断方法。
【請求項１４】
請求項１において、前記第１通信状態がスタンバイ状態であり、前記第２通信状態がペイロード通信状態である、リクエスト判断方法。
【請求項１５】
請求項１において、前記無線通信システムが、符号分割多重アクセス（ＣＤＭＡ）または直交周波数分割多重（ＯＦＤＭ）無線通信システムである、リクエスト判断方法。
【請求項１６】
請求項１において、前記通信状態がデータ通信状態である、リクエスト判断方法。
【請求項１７】
請求項１において、さらに、目標の検出確率に基づき、少なくとも１つの第２前記信号の前記第２エネルギ・レベルを調節する、リクエスト判断方法。
【請求項１８】
請求項１において、さらに、目標の誤り検出確率に基づき、少なくとも１つの第２前記信号の前記第２エネルギ・レベルを調節する、リクエスト判断方法。
【請求項１９】
無線通信システムにおいて、通信状態を変更するリクエストを判断する装置であって、第１エネルギ・レベルで、第１通信状態を表示する第１表示、および第２エネルギ・レベルで、第２通信状態に変更するリクエストを表示する第２表示を有する少なくとも１つの少なくとも１つの第２信号を受信する受信機と、
代替基準に従って第１および第２前記表示を検出する、前記受信機に接続された検出器と、を備えたリクエスト判断装置。
【請求項２０】
請求項１９において、前記検出器が、第１エネルギ・レベルしきい値を前記第１エネルギ・レベルと比較し、第２エネルギ・レベルしきい値を前記第２のエネルギ・レベルと比較する比較器を有する、リクエスト判断装置。
【請求項２１】
請求項２０において、前記検出器が、前記少なくとも各１つの第１および第２信号が受信される信号が受信される信号伝送チャネル内のタイム・スロットを全体にわたり積分する積分器を有し、前記第１および第２エネルギ・レベルが各タイム・スロットの占有状態に依存する、リクエスト判断装置。
【請求項２２】
請求項２０において、さらに、前記少なくとも１つの第２信号の前記検出されたエネルギ・レベルが前記第２エネルギ・レベルしきい値よりも大きいと判断された場合、前記通信システムを前記第２通信状態に変更する状態選択器を有する、リクエスト判断装置。
【請求項２３】
請求項２０において、さらに、前記少なくとも１つの第２信号の前記検出されたエネルギ・レベルが前記第２のエネルギ・レベルしきい値よりも小さいと判断された場合、前記通信システムを前記第２通信状態に変更する状態選択器を有する、リクエスト判断装置。
【請求項２４】
請求項１９において、前記検出器が、状態を変更するリクエストを表示するのに使用されているタイム・スロットの占有状態を監視するタイム・スロット・モニタを有する、リクエスト判断装置。
【請求項２５】
請求項２４において、前記検出器が、独立したしきい値をそれぞれ適用して、前記タイム・スロットを検出する、リクエスト判断装置。
【請求項２６】
請求項２４において、前記タイム・スロットが相互に排他的である、リクエスト判断装置。
【請求項２７】
請求項２６において、前記検出器は、相互に排他的なタイム・スロット両方においてそれぞれのしきい値よりも大きいエネルギ・レベルを検出すると、通信状態を変更するリクエストを発生し、
前記検出器は、相互に排他的なタイム・スロット両方よりも少ないタイム・スロットにおいてそれぞれのしきい値よりも大きいエネルギ・レベルを検出すると、通信状態を変更するリクエストを発生しない、リクエスト判断装置。
【請求項２８】
請求項１９において、前記検出器が、相互に排他的なコード・チャネルの占有状態を監視するコード・チャネル・モニタを有する、リクエスト判断装置。
【請求項２９】
請求項１９において、前記検出器が、（i）それぞれ選択可能な積分時間を有する少なくとも１つの積分ユニットを有し、（ii）前記第１エネルギ・レベルの前記エネルギ・レベルに基づきエネルギ・レベルしきい値を設定する、リクエスト判断装置。
【請求項３０】
請求項１９において、前記検出器が、（i）固定の積分時間を有する積分ユニットを有し、（ii）前記少なくとも各１つの第１および第２信号の伝送電力レベルに基づきエネルギ・レベルしきい値を設定する、リクエスト判断装置。
【請求項３１】
請求項１９において、前記第１通信状態がスタンバイ状態であり、前記第２通信状態がペイロード通信状態である、リクエスト判断装置。
【請求項３２】
請求項１９において、前記無線通信システムが、符号分割多重アクセス（ＣＤＭＡ）または直交周波数分割多重（ＯＦＤＭ）無線通信システムである、リクエスト判断装置。
【請求項３３】
請求項１９において、前記通信状態がデータ通信状態である、リクエスト判断装置。
【請求項３４】
請求項１９において、さらに、目標の検出確率に基づき、少なくとも１つの第２信号の前記第２エネルギ・レベルを調節する、リクエスト判断装置。
【請求項３５】
請求項１９において、さらに、目標の誤り検出確率に基づき、少なくとも１つの第２信号の前記第２エネルギ・レベルを調節する、リクエスト判断装置。
【請求項３６】
無線通信システムにおいて、通信状態を変更するリクエストを判断する装置であって、
第１エネルギ・レベルで第１通信状態を表示する第１表示、および第２エ
ネルギ・レベルで少なくとも１つの第２通信状態に変更するリクエストを表示する第２表示を有する少なくとも１つの第２信号を受信する受信手段と、
代替基準に従って前記第１および第２表示を検出する検出手段とを備えた、リクエスト判断装置。
【請求項３７】
無線通信システムにおいて、通信状態を変更するリクエストを生成する方法であって、
少なくとも１つの第１信号で伝送される第１表示と少なくとも1つの第２信号で伝送される第２表示とを選択する工程であって、この表示が、データ通信状態に関連する各エネルギ・レベルを有し、代替基準に従って検出可能である選択工程と、
第１および第２表示を含む少なくとも各１つの第１および第２信号を伝送する伝送工程とを備えた、リクエスト生成方法。
【請求項３８】
請求項３７において、第１および第２の前記表示の選択が、関連するエネルギ・レベルに従ってなされる、リクエスト生成方法。
【請求項３９】
請求項３７において、少なくとも各１つの第１および第２信号を伝送する前記伝送工程が、前記第１および第２表示を信号伝送チャネルのタイム・スロットに多重化することを含む、リクエスト生成方法。
【請求項４０】
請求項３９において、前記第１および第２表示の前記エネルギ・レベルが、受信システムによって、独立したしきい値との比較で検討して選択される、リクエスト生成方法。
【請求項４１】
請求項３９において、前記タイム・スロットが相互に排他的である、リクエスト生成方法。
【請求項４２】
請求項４１において、相互に排他的なタイム・スロット両方にある表示が、通信状態を変更するリクエストを示し、相互に排他的なタイム・スロット両方よりも少ないタイム・スロットにある表示が、同一通信状態に留まるリクエストを示す、リクエスト生成方法。
【請求項４３】
請求項３７において、少なくとも各１つの第１および第２信号を伝送する前記伝送工程が、前記表示を相互に排他的なコード・チャネルに付加することを含む、リクエスト生成方法。
【請求項４４】
請求項３７において、前記基準が、コード・チャネル・タイム・スロットの占有状態、関連するエネルギ・レベル、表示の継続時間、および表示の繰り返しの少なくとも１つを含む、リクエスト生成方法。
【請求項４５】
請求項３７において、前記通信状態がスタンバイ状態およびペイロード通信状態を含む、リクエスト生成方法。
【請求項４６】
請求項３０において、前記無線通信システムが、符号分割多重アクセス（ＣＤＭＡ）または直交  周波数分割多重（ＯＦＤＭ）無線通信システムである、リクエスト生成方法。
【請求項４７】
請求項３７において、前記通信状態がデータ通信状態である、リクエスト生成方法。
【請求項４８】
請求項３７において、前記第１および第２表示の前記各エネルギ・レベルが、目標の検出確率に基づく、リクエスト生成方法。
【請求項４９】
請求項３７において、前記第１および第２表示の前記各エネルギ・レベルが、目標の誤り検出確率に基づく、リクエスト生成方法。
【請求項５０】
無線通信システムにおいて、通信状態を変更するリクエストを生成する装置であって、
信号で伝送される第１表示を選択する選択器であって、この少なくとも１つの第１および第２表示を選択する表示が、通信状態に関連する各エネルギ・レベルを有し、代替基準に従って検出可能である選択器と、
第１および第２表示を含む少なくとも各１つの第１および第２前記信号を伝送し、前記選択器に接続された送信機とを備えた、リクエスト生成装置。
【請求項５１】
請求項５０において、さらに、前記選択器および前記送信機に接続され、前記第１および第２表示を信号伝送チャネル中のタイム・スロットに付加する、多重装置を備えたリクエスト生成装置。
【請求項５２】
請求項５１において、前記第１および第２表示の前記エネルギ・レベルが、受信システムによって、独立したしきい値との比較で検討して選択される、リクエスト生成装置。
【請求項５３】
請求項５１において、前記タイム・スロットが相互に排他的である、リクエスト生成装置。
【請求項５４】
請求項５３において、相互に排他的なタイム・スロットの両方にある第１および第２表示が、通信状態を変更するリクエストを示し、相互に排他的なタイム・スロットの両方よりも少ないタイム・スロットにある第１および第２表示が、同一通信状態に留まるリクエストを示す、リクエスト生成装置。
【請求項５５】
請求項５０において、前記選択器が、前記第１および第２表示を相互に排他的なコード・チャネルに付加する、リクエスト生成装置。
【請求項５６】
請求項５０において、前記基準が、コード・チャネル・タイム・スロットの占有状態、関連するエネルギ・レベル、表示の継続時間、および表示の繰り返しの少なくとも１つを含む、リクエスト生成装置。
【請求項５７】
請求項５０において、前記通信状態がスタンバイ状態およびペイロード通信状態を含む、リクエスト生成装置。
【請求項５８】
請求項５０において、前記無線通信システムが、符号分割多重アクセス（ＣＤＭＡ）または直交周波数分割多重（ＯＦＤＭ）無線通信システムである、リクエスト生成装置。
【請求項５９】
請求項５０において、前記通信状態がデータ通信状態である、リクエスト生成装置。
【請求項６０】
請求項５０において、前記選択器が、目標の検出確率に基づき前記第１および第２表示を少なくとも各１つの前記第１および第２信号に付加する、リクエスト生成装置。
【請求項６１】
請求項５０において、前記選択器が、目標の誤り検出確率に基づき前記第１および第２表示を少なくとも各１つの前記第１および第２信号に付加する、リクエスト生成装置。
【請求項６２】
無線通信システムにおいて、通信状態を変更するリクエストを生成する装置であって、
少なくとも１つの第１信号で伝送される第１表示を選択し、かつ、少なくとも1つの第２信号で伝送される第２表示を選択する選択手段であって、この第１および第２表示が、通信状態に関連する各エネルギ・レベルを有し、代替基準に従って検出可能である選択手段と、
第１および第２表示を含む少なくとも各１つの第１および第２信号を伝送する伝送手段とを備えた、リクエスト生成装置。